(57)【要約】【課題】スループットの向上を図ること。【解決手段】第１検出部１１１は、自セルと共通の周波数帯域を使用可能であり自セルとの間で干渉が生じ得るセルを形成する他の第２基地局１２０を検出する。第２検出部１１２は、自セルに接続中であり通信品質が所定値以下の無線端末１０２を検出する。第３検出部１１３は、自セルに接続しておらず、かつ自セルから送信される信号による干渉を受ける無線端末１０４を検出する。選択部１１４は、第１検出部１１１、第２検出部１１２および第３検出部１１３による検出結果の組み合わせに基づいて共通の周波数帯域の中から帯域を選択する。送信部１１５は、選択部１１４によって選択された帯域を用いて、自セルに接続中の無線端末１０１，１０２への信号を無線送信する。【選択図】図１
2014086943.tif 000002
【特許請求の範囲】
【請求項１】
自セルと共通の周波数帯域を使用可能であり自セルとの間で干渉が生じ得るセルを形成する他の基地局を検出する第１検出部と、
自セルに接続中であり通信品質が所定値以下の低品質端末を検出する第２検出部と、
自セルに接続しておらず、かつ自セルから送信される信号による干渉を受ける被干渉端末を検出する第３検出部と、
前記第１検出部、前記第２検出部および前記第３検出部による検出結果の組み合わせに基づいて前記共通の周波数帯域の中から帯域を選択する選択部と、
前記選択部によって選択された帯域を用いて、自セルに接続中の無線端末への信号を無線送信する送信部と、
を備えることを特徴とする基地局。
【請求項２】
前記選択部は、
前記検出結果の組み合わせと、前記共通の周波数帯域に含まれる複数の候補帯域と、の対応情報に基づいて、前記検出結果の組み合わせに対応する複数の候補帯域を抽出し、
抽出した前記複数の候補帯域のそれぞれについて、自セルに接続中の無線端末との間の予測スループットを算出し、
算出した前記予測スループットに基づいて、抽出した前記複数の候補帯域の中から帯域を選択することを特徴とする請求項１に記載の基地局。
【請求項３】
前記対応情報において、前記第１検出部によって前記他の基地局が検出され、かつ前記第２検出部によって前記低品質端末が検出された場合の組み合わせに対応付けられた前記複数の候補帯域は、それぞれ前記共通の周波数帯域の一部の帯域であることを特徴とする請求項２に記載の基地局。
【請求項４】
前記対応情報において、前記第３検出部によって前記被干渉端末が検出された場合の組み合わせに対応付けられた前記複数の候補帯域は、それぞれ前記共通の周波数帯域の一部の帯域であることを特徴とする請求項２または３に記載の基地局。
【請求項５】
前記送信部は、前記選択部によって前記一部の帯域が選択された場合に、前記選択部によって前記共通の周波数帯域の全部の帯域が選択された場合よりも大きな電力密度によって信号を無線送信することを特徴とする請求項３または４に記載の基地局。
【請求項６】
前記一部の帯域は、周波数が互いに隣接しない複数の帯域であることを特徴とする請求項３〜５のいずれか一つに記載の基地局。
【請求項７】
前記対応情報において、前記第３検出部によって前記被干渉端末が検出された場合の組み合わせに対応付けられた前記複数の候補帯域は、他の通信装置によって所定の制御信号が送信される所定の帯域を除く帯域であることを特徴とする請求項２〜６のいずれか一つに記載の基地局。
【請求項８】
自セルと共通の周波数帯域を使用可能であり自セルとの間で干渉が生じ得るセルを形成する他の基地局を検出する第１検出部と、
自セルに接続中であり通信品質が所定値以下の低品質端末を検出する第２検出部と、
前記第１検出部および前記第２検出部による検出結果の組み合わせに基づいて前記共通の周波数帯域の中から帯域を選択する選択部と、
前記選択部によって選択された帯域を用いて、自セルに接続中の無線端末への信号を無線送信する送信部と、
を備えることを特徴とする基地局。
【請求項９】
共通の周波数帯域を使用可能であり互いに干渉が生じ得るセルを形成する各基地局を含む通信システムにおいて、
前記各基地局は、
前記各基地局のうちの自局と異なる他の基地局を検出する第１検出部と、
自セルに接続中であり通信品質が所定値以下の低品質端末を検出する第２検出部と、
自セルに接続しておらず、かつ自セルから送信される信号による干渉を受ける被干渉端末を検出する第３検出部と、
前記第１検出部、前記第２検出部および前記第３検出部による検出結果の組み合わせに基づいて前記共通の周波数帯域の中から帯域を選択する選択部と、
前記選択部によって選択された帯域を用いて、自セルに接続中の無線端末への信号を無線送信する送信部と、
を備えることを特徴とする通信システム。
【請求項１０】
共通の周波数帯域を使用可能であり互いに干渉が生じ得るセルを形成する各基地局による通信方法において、
前記各基地局のうちの自局と異なる他の基地局を検出し、
自セルに接続中であり通信品質が所定値以下の低品質端末を検出し、
自セルに接続しておらず、かつ自セルから送信される信号による干渉を受ける被干渉端末を検出し、
前記他の基地局、前記低品質端末および前記被干渉端末の検出結果の組み合わせに基づいて前記共通の周波数帯域の中から帯域を選択し、
選択した前記帯域を用いて、自セルに接続中の無線端末への信号を無線送信する、
ことを特徴とする通信方法。
【発明の詳細な説明】
【技術分野】
【０００１】
本発明は、基地局、通信システムおよび通信方法に関する。
【背景技術】
【０００２】
個人宅などに設置されるフェムト基地局（Ｈｏｍｅ  ｅＮＢ：ＨｅＮＢ）が知られている。フェムト基地局においては、たとえば登録したユーザ以外は接続できないようにアクセス制限が行われる。
【０００３】
フェムト基地局を利用する場合、たとえばフェムト基地局に近いがフェムト基地局に接続できないユーザが、フェムト基地局から干渉を受けてスループットが劣化したり接続が切れたりする場合がある。これに対して、このようなユーザを検出した場合にフェムト基地局からの送信電力を下げる方法が知られている（たとえば、下記特許文献１参照。）。
【０００４】
また、フェムト基地局同士が近接している場合に、フェムト基地局同士で干渉しあってスループットが劣化する場合がある。これに対して、フェムト基地局で帯域制御を行う方法が知られている（たとえば、下記特許文献２参照。）。
【先行技術文献】
【特許文献】
【０００５】
【特許文献１】特開２０１０−２８３８２６号公報
【特許文献２】特開２０１０−１０３７５３号公報
【発明の概要】
【発明が解決しようとする課題】
【０００６】
しかしながら、上述した従来技術では、フェムト基地局等から干渉を受けるユーザ端末と、フェムト基地局等に接続するユーザ端末と、のスループットの向上を図ることができない場合がある。
【０００７】
本発明は、上述した従来技術による問題点を解消するため、スループットの向上を図ることができる基地局、通信システムおよび通信方法を提供することを目的とする。
【課題を解決するための手段】
【０００８】
上述した課題を解決し、目的を達成するため、本発明の一側面によれば、共通の周波数帯域を使用可能であり互いに干渉が生じ得るセルを形成する各基地局が、前記各基地局のうちの自局と異なる他の基地局を検出し、自セルに接続中であり通信品質が所定値以下の低品質端末を検出し、自セルに接続しておらず、かつ自セルから送信される信号による干渉を受ける被干渉端末を検出し、前記他の基地局、前記低品質端末および前記被干渉端末の検出結果の組み合わせに基づいて前記共通の周波数帯域の中から帯域を選択し、選択した前記帯域を用いて、自セルに接続中の無線端末への信号を無線送信する基地局、通信システムおよび通信方法が提案される。
【発明の効果】
【０００９】
本発明の一側面によれば、スループットの向上を図ることができるという効果を奏する。
【図面の簡単な説明】
【００１０】
【図１】図１は、実施の形態１にかかる通信システムの一例を示す図である。
【図２−１】図２−１は、基地局の一例を示す図である。
【図２−２】図２−２は、図２−１に示した基地局における信号の流れの一例を示す図である。
【図２−３】図２−３は、基地局のハードウェア構成の一例を示す図である。
【図３】図３は、送信パターン候補抽出部および送信パターン決定部の動作の一例を示すフローチャートである。
【図４−１】図４−１は、送信パターンの候補の一例を示す図（その１）である。
【図４−２】図４−２は、送信パターンの候補の一例を示す図（その２）である。
【図４−３】図４−３は、送信パターンの候補の一例を示す図（その３）である。
【図５】図５は、送信パターンテーブルの一例を示す図である。
【図６−１】図６−１は、通信システムの動作の一例を示す図（その１）である。
【図６−２】図６−２は、通信システムの動作の一例を示す図（その２）である。
【図６−３】図６−３は、通信システムの動作の一例を示す図（その３）である。
【図６−４】図６−４は、通信システムの動作の一例を示す図（その４）である。
【図７−１】図７−１は、送信パターンの一例を示す図（その１）である。
【図７−２】図７−２は、送信パターンの一例を示す図（その２）である。
【図７−３】図７−３は、送信パターンの一例を示す図（その３）である。
【図７−４】図７−４は、送信パターンの一例を示す図（その４）である。
【図７−５】図７−５は、送信パターンの一例を示す図（その５）である。
【図７−６】図７−６は、送信パターンの一例を示す図（その６）である。
【図８】図８は、送信パターンテーブルの一例を示す図である。
【図９】図９は、実施の形態３にかかる通信システムの一例を示す図である。
【図１０−１】図１０−１は、基地局の一例を示す図である。
【図１０−２】図１０−２は、図１０−１に示した基地局における信号の流れの一例を示す図である。
【図１１】図１１は、送信パターン候補抽出部および送信パターン決定部の動作の一例を示すフローチャートである。
【図１２】図１２は、送信パターンテーブルの一例を示す図である。
【図１３】図１３は、通信システムの動作の一例を示す図である。
【図１４−１】図１４−１は、送信パターンの候補の変形例を示す図（その１）である。
【図１４−２】図１４−２は、送信パターンの候補の変形例を示す図（その２）である。
【図１４−３】図１４−３は、送信パターンの候補の変形例を示す図（その３）である。
【発明を実施するための形態】
【００１１】
以下に添付図面を参照して、本発明にかかる基地局、通信システムおよび通信方法の実施の形態を詳細に説明する。
【００１２】
（実施の形態１）
図１は、実施の形態１にかかる通信システムの一例を示す図である。図１に示すように、実施の形態１にかかる通信システム１００は、第１基地局１１０と、第２基地局１２０と、無線端末１０１〜１０４と、を含む。
【００１３】
第１基地局１１０および第２基地局１２０は、それぞれのセルにおいて共通の周波数帯域（以下、「共通周波数帯域」と称する。）を使用可能であり、互いに隣接するセルを形成する。すなわち、第１基地局１１０および第２基地局１２０は、互いに干渉が生じ得るセルを形成する。第１基地局１１０および第２基地局１２０のそれぞれは、たとえばフェムトセルを形成するＨｅＮＢ（Ｈｏｍｅ  ｅＮｏｄｅＢ）である。
【００１４】
無線端末１０１，１０２は、第１基地局１１０のセルに接続中の無線端末である。また、無線端末１０２は、第１基地局１１０との間の距離が離れていたり、第２基地局１２０からの距離が近く第２基地局１２０からの干渉を受けたりするなどの理由により、第１基地局１１０との間の通信品質が所定値以下の低品質端末である。このような端末をビクティムＵＥと呼ぶ。
【００１５】
無線端末１０３は、第２基地局１２０のセルに接続中の無線端末である。無線端末１０４は、第１基地局１１０および第２基地局１２０のいずれにも接続していないが、第１基地局１１０の付近に位置しており、第１基地局１１０から無線端末１０１，１０２への送信信号による干渉を受ける被干渉端末である。無線端末１０１〜１０４のそれぞれは、たとえばＵＥ（Ｕｓｅｒ  Ｅｑｕｉｐｍｅｎｔ：ユーザ端末）である。
【００１６】
第１基地局１１０は、自セルに接続中の無線端末１０１，１０２への下り信号を無線送信する。具体的には、第１基地局１１０は、第１検出部１１１と、第２検出部１１２と、第３検出部１１３と、選択部１１４と、送信部１１５と、を備える。
【００１７】
第１検出部１１１は、第２基地局１２０などの隣接基地局のうちの通信中の隣接基地局の有無を検出する。たとえば、第１検出部１１１は、隣接基地局から送信される信号に基づいて通信中の隣接基地局の有無を検出する。第１検出部１１１は、検出結果を選択部１１４へ出力する。
【００１８】
第２検出部１１２は、無線端末１０２などの低品質端末の有無を検出する。たとえば、第２検出部１１２は、接続中の無線端末から通知される通信品質に基づいて低品質端末を検出する。第２検出部１１２は、検出結果を選択部１１４へ出力する。
【００１９】
第３検出部１１３は、無線端末１０４などの被干渉端末の有無を検出する。たとえば、第３検出部１１３は、他のセルに接続中の無線端末によって送信される上り信号の電力を測定し、測定結果に基づいて被干渉端末の有無を検出する。第３検出部１１３は、検出結果を選択部１１４へ出力する。
【００２０】
選択部１１４は、第１検出部１１１、第２検出部１１２および第３検出部１１３から出力される検出結果の組み合わせに基づいて、共通周波数帯域の中から、第１基地局１１０による下り信号の送信に用いるための帯域を選択する。そして、選択部１１４は、選択した帯域を送信部１１５へ通知する。
【００２１】
たとえば、選択部１１４は、検出結果の組み合わせと、共通周波数帯域に含まれる帯域の候補と、の対応情報に基づいて、検出結果の組み合わせに対応する帯域の候補を抽出する。そして、選択部１１４は、抽出した帯域の候補のそれぞれについて、自セルに接続中の無線端末（たとえば無線端末１０１，１０２）との間のスループットを算出し、算出したスループットに基づいて、抽出した帯域の候補の中から帯域を選択する。これにより、検出結果の組み合わせに対応する帯域の候補の中から、よりスループットが向上する帯域を選択することができる。
【００２２】
送信部１１５は、選択部１１４によって通知された帯域を用いて、自セルに接続中の無線端末１０１，１０２への下り信号を無線送信する。ただし、送信部１１５は、選択部１１４によって通知された帯域のすべてを用いなくてもよく、選択部１１４によって通知された帯域の一部を用いてもよい。
【００２３】
第２基地局１２０は、第１検出部１２１と、第２検出部１２２と、第３検出部１２３と、選択部１２４と、送信部１２５と、を備える。第２基地局１２０の第１検出部１２１、第２検出部１２２、第３検出部１２３、選択部１２４および送信部１２５は、それぞれ第１基地局１１０の第１検出部１１１、第２検出部１１２、第３検出部１１３、選択部１１４および送信部１１５と同様の構成である。
【００２４】
図１に示す例では、第２基地局１２０の第１検出部１２１は第１基地局１１０を隣接基地局として検出する。また、第２基地局１２０に接続中の低品質端末は存在しないため、第２検出部１２２は低品質端末を検出しない。また、第２基地局１２０の周辺には、第２基地局１２０からの干渉を受ける被干渉端末は存在しないため、第３検出部１２３は被干渉端末を検出しない。
【００２５】
たとえば、第１基地局１１０の選択部１１４は、第１検出部１１１によって隣接基地局が検出され、かつ第２検出部１１２によって低品質端末が検出された場合に、共通周波数帯域の一部の帯域を選択する。これにより、図１に示す例では、第１検出部１１１によって第２基地局１２０が隣接基地局として検出され、かつ第２検出部１１２によって無線端末１０２が低品質端末として検出されるため、選択部１１４によって共通周波数帯域の一部の帯域が選択される。このため、共通周波数帯域の一部の帯域を用いて送信部１１５から無線端末１０１，１０２への下り信号が送信される。
【００２６】
これにより、第２基地局１２０に対して、共通周波数帯域のうちの第１基地局１１０において選択されなかった帯域を使用することを促し、第２基地局１２０から無線端末１０２への干渉を低減することができる。
【００２７】
また、第１基地局１１０の選択部１１４は、第３検出部１１３によって被干渉端末が検出された場合には、隣接基地局および低品質端末の少なくともいずれかが検出されていなくても、共通周波数帯域の一部の帯域を選択するようにしてもよい。これにより、図１に示す例では、第３検出部１１３によって無線端末１０４が被干渉端末として検出されるため、共通周波数帯域の一部の帯域を用いて送信部１１５から無線端末１０１，１０２への下り信号が送信される。
【００２８】
これにより、無線端末１０４に対して、共通周波数帯域のうちの第１基地局１１０において選択されなかった帯域を使用することを促し、第１基地局１１０から無線端末１０４への干渉を低減することができる。
【００２９】
このように、通信システム１００においては、隣接する第１基地局１１０および第２基地局１２０が、自セルによるビクティムＵＥ、自セルの低品質ＵＥ、隣接基地局の検出結果の組み合わせに応じて送信帯域を自律制御する。これにより、ビクティムＵＥと低品質ＵＥのスループットを向上させ、通信システム１００の全体のスループットを向上させることができる。
【００３０】
図２−１は、基地局の一例を示す図である。図２−２は、図２−１に示した基地局における信号の流れの一例を示す図である。図１に示した第１基地局１１０および第２基地局１２０のそれぞれは、たとえば図２−１，図２−２に示す基地局２００によって実現することができる。基地局２００は、たとえばＬＴＥ（Ｌｏｎｇ  Ｔｅｒｍ  Ｅｖｏｌｕｔｉｏｎ）の規格に基づくＨｅＮＢに適用することができる。
【００３１】
基地局２００は、受信アンテナ２０１と、受信機２０２と、受信信号処理部２０３と、ビクティムＵＥ検出部２０４と、隣接ＨｅＮＢ検出部２０５と、低品質ＵＥ検出部２０６と、ＵＥ品質情報取得部２０７と、送信パターンテーブル記憶部２０８と、を備える。また、基地局２００は、送信パターン候補抽出部２０９と、スループット推定部２１０と、送信パターン決定部２１１と、ＵＥスケジューラ２１２と、送信信号作成部２１３と、送信機２１４と、送信アンテナ２１５と、を備える。
【００３２】
図１に示した第１検出部１１１，１２１のそれぞれは、たとえば受信アンテナ２０１、受信機２０２、受信信号処理部２０３および隣接ＨｅＮＢ検出部２０５によって実現することができる。図１に示した第２検出部１１２，１２２のそれぞれは、たとえば受信アンテナ２０１、受信機２０２、受信信号処理部２０３および低品質ＵＥ検出部２０６によって実現することができる。図１に示した第３検出部１１３，１２３のそれぞれは、たとえば受信アンテナ２０１、受信機２０２、受信信号処理部２０３およびビクティムＵＥ検出部２０４によって実現することができる。
【００３３】
図１に示した選択部１１４，１２４のそれぞれは、たとえば送信パターンテーブル記憶部２０８、送信パターン候補抽出部２０９、スループット推定部２１０および送信パターン決定部２１１によって実現することができる。図１に示した送信部１１５，１２５のそれぞれは、たとえばＵＥスケジューラ２１２、送信信号作成部２１３、送信機２１４および送信アンテナ２１５によって実現することができる。
【００３４】
受信機２０２は、受信アンテナ２０１を介して、他の無線通信装置（たとえば無線端末や他の基地局）から無線送信された信号を受信する。そして、受信機２０２は、受信した信号を受信信号処理部２０３へ出力する。
【００３５】
受信信号処理部２０３は、受信機２０２から出力された信号に対して、チャネル推定や復号等の受信信号処理を行う。そして、受信信号処理部２０３は、受信信号処理によって得られた信号をビクティムＵＥ検出部２０４、隣接ＨｅＮＢ検出部２０５、低品質ＵＥ検出部２０６およびＵＥ品質情報取得部２０７へ出力する。
【００３６】
ビクティムＵＥ検出部２０４は、受信信号処理部２０３から出力された信号に基づいて、基地局２００のセルに接続しておらず、かつ基地局２００から送信される信号による干渉を受けるビクティムＵＥ（被干渉端末）の検出を行う。たとえば、ビクティムＵＥ検出部２０４は、他のセルに接続中のＵＥによって送信される上り信号の電力を測定し、測定結果が一定値以上であればビクティムＵＥが存在すると判定する。
【００３７】
他のセルに接続中のＵＥによって送信される上り信号の電力は、たとえば、他のセルに接続中のＵＥによって送信される上り信号の既知のパターンの信号を検出し、検出した信号の電力を測定することによって測定することができる。または、他のセルに接続中のＵＥによって送信される上り信号の電力は、自セルに接続中のＵＥから受信した上り信号に対する干渉電力に基づいて測定することができる。ビクティムＵＥ検出部２０４は、ビクティムＵＥの検出結果を送信パターン候補抽出部２０９へ出力する。
【００３８】
隣接ＨｅＮＢ検出部２０５は、受信信号処理部２０３から出力された信号に基づいて、基地局２００のセルと共通の周波数帯域を使用可能であり、基地局２００のセルとの間で干渉が生じる隣接セルを形成する隣接ＨｅＮＢの検出を行う。たとえば、隣接ＨｅＮＢ検出部２０５は、隣接セルにおいてセルサーチのために隣接ＨｅＮＢから送信される下り信号の電力を測定することによって検出することができる。隣接ＨｅＮＢ検出部２０５は、隣接ＨｅＮＢの検出結果を送信パターン候補抽出部２０９へ出力する。
【００３９】
低品質ＵＥ検出部２０６は、受信信号処理部２０３から出力された信号に基づいて、自セルに接続中であり、かつ通信品質が所定値以下の低品質ＵＥ（低品質端末）の検出を行う。たとえば、低品質ＵＥ検出部２０６は、自セルのＵＥから送信される、自セルのＵＥにおける下りの通信品質を示すＣＱＩ（Ｃｈａｎｎｅｌ  Ｑｕａｌｉｔｙ  Ｉｎｄｉｃａｔｏｒ：チャネル品質情報）を取得し、取得したＣＱＩの一定期間における平均値を算出する。そして、低品質ＵＥ検出部２０６は、算出したＣＱＩの平均値が一定値以下である場合は、ＣＱＩの送信元のＵＥが低品質ＵＥであると判定する。低品質ＵＥ検出部２０６は、低品質ＵＥの検出結果を送信パターン候補抽出部２０９へ出力する。
【００４０】
ＵＥ品質情報取得部２０７は、受信信号処理部２０３から出力された信号に基づいて、自セルに接続中の各ＵＥについて下りの通信品質を示す品質情報を取得する。たとえば、ＵＥ品質情報取得部２０７は、自セルのＵＥから送信される帯域ごとのＣＱＩを品質情報として取得する。そして、ＵＥ品質情報取得部２０７は、取得した品質情報をスループット推定部２１０へ出力する。
【００４１】
送信パターンテーブル記憶部２０８には、ビクティムＵＥ検出部２０４、隣接ＨｅＮＢ検出部２０５および低品質ＵＥ検出部２０６による各検出結果の組み合わせと、送信パターンの候補と、を対応付ける送信パターンテーブル（対応情報）が記憶されている。送信パターンは、基地局２００によるＵＥへの信号送信に用いる帯域を示す情報である。送信パターンテーブルにおいては、各検出結果の組み合わせのそれぞれに対して、１つまたは複数の送信パターンの候補が対応付けられている。
【００４２】
送信パターン候補抽出部２０９は、ビクティムＵＥ検出部２０４、隣接ＨｅＮＢ検出部２０５および低品質ＵＥ検出部２０６による各検出結果を取得する。また、送信パターン候補抽出部２０９は、取得した各検出結果の組み合わせに対応する１つまたは複数の送信パターンの候補を送信パターンテーブル記憶部２０８から取得する。そして、送信パターン候補抽出部２０９は、取得した送信パターンをスループット推定部２１０および送信パターン決定部２１１へ通知する。
【００４３】
スループット推定部２１０は、ＵＥ品質情報取得部２０７から出力された品質情報に基づいて、送信パターン候補抽出部２０９から通知された送信パターンの候補のそれぞれについて、自セルに接続中の各ＵＥにおける下りのスループットの推定値を算出する。そして、スループット推定部２１０は、算出したスループットの推定値を送信パターン決定部２１１へ出力する。スループット推定部２１０によるスループットの推定値の算出については後述する。
【００４４】
送信パターン決定部２１１は、送信パターン候補抽出部２０９から通知された送信パターンの候補の中から、ＵＥへの信号送信に用いる送信パターンを決定する。たとえば、送信パターン決定部２１１は、通知された送信パターンの候補のうちの、スループット推定部２１０から通知されたスループットの推定値が最大の送信パターンを、ＵＥへの信号送信に用いる送信パターンとして決定する。送信パターン決定部２１１は、決定した送信パターンをＵＥスケジューラ２１２へ通知する。
【００４５】
ＵＥスケジューラ２１２は、送信パターン決定部２１１から通知された送信パターンが示す帯域を用いるように、ＵＥに無線リソースを割り当てるスケジューリングを行う。無線リソースには、たとえば周波数リソースおよび時間リソースが含まれる。ＵＥスケジューラ２１２は、スケジューリングの結果を送信信号作成部２１３へ出力する。
【００４６】
送信信号作成部２１３は、ＵＥスケジューラ２１２から出力されたスケジューリングの結果に基づいて、ＵＥへ送信する信号を作成する。そして、送信信号作成部２１３は、作成した信号を送信機２１４へ出力する。送信機２１４は、送信信号作成部２１３から出力された信号を、送信アンテナ２１５を介してＵＥへ無線送信する。
【００４７】
図２−３は、基地局のハードウェア構成の一例を示す図である。図２−３に示すように、受信信号処理部２０３、ビクティムＵＥ検出部２０４、隣接ＨｅＮＢ検出部２０５、低品質ＵＥ検出部２０６、ＵＥ品質情報取得部２０７および送信パターン候補抽出部２０９は、デジタル回路２３１によって実現することができる。また、スループット推定部２１０および送信パターン決定部２１１、ＵＥスケジューラ２１２および送信信号作成部２１３は、デジタル回路２３１によって実現することができる。
【００４８】
デジタル回路２３１には、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などを用いることができる。この場合は、たとえば、受信機２０２は、受信アンテナ２０１から出力された信号をアナログからデジタルに変換してデジタル回路２３１へ出力するＡＤＣ（Ａｎａｌｏｇ／Ｄｉｇｉｔａｌ  Ｃｏｎｖｅｒｔｅｒ：アナログ／デジタル変換器）を含む。また、たとえば、送信機２１４は、デジタル回路２３１から出力された信号をデジタルからアナログに変換して送信アンテナ２１５へ出力するＤＡＣ（Ｄｉｇｉｔａｌ／Ａｎａｌｏｇ  Ｃｏｎｖｅｒｔｅｒ：デジタル／アナログ変換器）を含む。
【００４９】
また、図２−１，図２−２に示した送信パターンテーブル記憶部２０８は、メモリ２３２によって実現することができる。メモリ２３２には、たとえば磁気ディスクやフラッシュメモリなどの不揮発メモリを用いることができる。
【００５０】
図３は、送信パターン候補抽出部および送信パターン決定部の動作の一例を示すフローチャートである。実施の形態１にかかる基地局２００の送信パターン候補抽出部２０９および送信パターン決定部２１１は、たとえば以下の各ステップを繰り返し行う。
【００５１】
まず、送信パターン候補抽出部２０９が、ビクティムＵＥ検出部２０４からビクティムＵＥの検出結果を取得する（ステップＳ３０１）。また、送信パターン候補抽出部２０９が、隣接ＨｅＮＢ検出部２０５から隣接ＨｅＮＢの検出結果を取得する（ステップＳ３０２）。また、送信パターン候補抽出部２０９が、低品質ＵＥ検出部２０６から低品質ＵＥの検出結果を取得する（ステップＳ３０３）。なお、ステップＳ３０１〜Ｓ３０３の順序は入れ替え可能である。
【００５２】
つぎに、送信パターン候補抽出部２０９が、ステップＳ３０１〜Ｓ３０３によって取得した各検出結果の組み合わせに基づいて、送信パターンの候補を抽出する（ステップＳ３０４）。つぎに、送信パターン決定部２１１が、ステップＳ３０４によって抽出された送信パターンの候補のそれぞれについて、スループット推定部２１０からスループットの推定値を取得する（ステップＳ３０５）。
【００５３】
つぎに、送信パターン決定部２１１が、ステップＳ３０５によって取得したスループットの推定値に基づいて、ステップＳ３０４によって抽出された候補の中から送信パターンを決定し（ステップＳ３０６）、一連の動作を終了する。
【００５４】
以上の各ステップにより、ビクティムＵＥ、隣接ＨｅＮＢおよび低品質ＵＥの各検出結果の組み合わせに基づく送信パターンの候補を抽出し、抽出した候補の中からスループットの高い送信パターンを選択することができる。
【００５５】
図４−１〜図４−３は、送信パターンの候補の一例を示す図である。図４−１〜図４−３に示す送信パターンＰ１，Ｐ２，Ｐ３は、送信パターンテーブル記憶部２０８に記憶された送信パターンテーブルに含まれる送信パターンを示している。パターンＰ１，Ｐ２，Ｐ３において、横軸は下り信号の周波数を示し、縦軸は下り信号の電力を示している。共通周波数帯域４１０は、第１基地局１１０および第２基地局１２０の下り通信において共通で使用可能な帯域を示している。
【００５６】
図４−１に示す送信パターンＰ１は、共通周波数帯域４１０の全帯域を使用し、かつ所定の電力密度（電力Ｖ）を使用して信号を送信することを示す送信パターンである。
【００５７】
図４−２に示す送信パターンＰ２は、共通周波数帯域４１０のうちの低周波側の半分の帯域を使用し、かつ送信パターンＰ１に対して２倍の電力密度（電力２Ｖ）を使用して信号を送信することを示す送信パターンである。したがって、送信パターンＰ２においては、送信パターンＰ１に比べて帯域幅が１／２となり電力密度が２倍となるため、電力密度×帯域幅は送信パターンＰ１と同一になる。
【００５８】
図４−３に示す送信パターンＰ３は、共通周波数帯域４１０のうちの高周波側の半分の帯域を使用し、かつ送信パターンＰ１に対して２倍の電力密度（電力２Ｖ）を使用して信号を送信することを示す送信パターンである。したがって、送信パターンＰ３においては、送信パターンＰ１に比べて帯域幅が１／２となり電力密度が２倍となるため、電力密度×帯域幅は送信パターンＰ１と同一になる。
【００５９】
このように、共通周波数帯域４１０の一部の帯域を用いる送信パターンＰ２，Ｐ３においては、共通周波数帯域４１０の全帯域を用いる送信パターンＰ１よりも大きな電力密度となっている。これにより、共通周波数帯域４１０の一部の帯域を使用する場合に、共通周波数帯域４１０の全部の帯域を使用する場合よりも大きな電力密度によって信号を無線送信することができる。これにより、共通周波数帯域４１０の一部の帯域のみを用いる場合のスループットの低下を抑えることができる。
【００６０】
＜スループットの推定値の算出＞
スループット推定部２１０による送信パターンＰ１，Ｐ２，Ｐ３についてのスループットの推定値の算出について説明する。たとえば、ＵＥ＃ｉ（ｉ＝１，２，３，…）の低周波側のＣＱＩをＣＱＩ＿Ｌ［ｉ］、高周波側のＣＱＩをＣＱＩ＿Ｈ［ｉ］とする。この場合は、パターンＰ１，Ｐ２，Ｐ３を用いる場合のＵＥ＃ｉのスループットの推定値ＴP1［ｉ］〜ＴP3［ｉ］をたとえば下記（１）式によって算出することができる。
【００６１】
ＴP1［ｉ］＝ｌｏｇ2（１＋ｆ（ＣＱＩ＿Ｌ［ｉ］））
＋ｌｏｇ2（１＋ｆ（ＣＱＩ＿Ｈ［ｉ］））
ＴP2［ｉ］＝ｌｏｇ2（１＋ｆ（ＣＱＩ＿Ｌ［ｉ］））
ＴP3［ｉ］＝ｌｏｇ2（１＋ｆ（ＣＱＩ＿Ｈ［ｉ］））      …（１）
【００６２】
上記（１）式においてはＳｈａｎｎｏｎのチャネル容量の式Ｃ＝ｌｏｇ2（１＋ＳＩＮＲ）を利用している。また、ｆ（ＣＱＩ）はＣＱＩからＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）への換算式である。
【００６３】
スループット推定部２１０は、自セルの各ＵＥ＃ｉ（ｉ＝１，２，３，…）について上述したスループットの推定値ＴP1［ｉ］〜ＴP3［ｉ］を算出する。そして、パターンＰ１，Ｐ２，Ｐ３のそれぞれについてスループットの推定値の平均値を算出し、算出結果を送信パターン決定部２１１へ出力する。ただし、スループット推定部２１０は、スループットの推定値の平均値に限らず、スループットの推定値の最低値や対数平均など、スループットの推定値に基づく他の指標を算出してもよい。
【００６４】
このように、ＵＥによって送信される周波数帯域ごとのＣＱＩを用いることにより、周波数帯域ごとの見込みスループットを計算することができ、電力密度の増加分を含めて、送信パターンごとの各ユーザのスループットを計算することができる。
【００６５】
図５は、送信パターンテーブルの一例を示す図である。図５に示す送信パターンテーブル５００は、送信パターンテーブル記憶部２０８に記憶される送信パターンテーブルの一例である。送信パターンテーブル５００において、○は対象が検出されたことを示し、×は対象が検出されなかったことを示している。
【００６６】
＜ビクティムＵＥが検出された場合＞
たとえば、ビクティムＵＥが検出された場合は、ビクティムＵＥの救済のために干渉の少ない帯域を確保することが望ましい。このため、送信パターンテーブル５００において、ビクティムＵＥの検出結果が○であるレコードには、帯域を半分にした送信パターンＰ２，Ｐ３が対応付けられている。この場合は、基地局２００は、送信パターンＰ２，Ｐ３のうちのスループットが最も高くなる送信パターンを選択する。
【００６７】
＜低品質ＵＥと隣接ＨｅＮＢの両方が検出された場合＞
また、低品質ＵＥと隣接ＨｅＮＢの両方が検出された場合は、隣接ＨｅＮＢの帯域制限を促すことが望ましい。このため、送信パターンテーブル５００において、低品質ＵＥと隣接ＨｅＮＢの両方の検出結果が○であるレコードには、帯域を半分にした送信パターンＰ２，Ｐ３が対応付けられている。この場合は、基地局２００は、送信パターンＰ２，Ｐ３のうちのスループットが最も高くなる送信パターンを選択する。
【００６８】
＜その他の場合＞
また、送信パターンテーブル５００において、ビクティムＵＥの検出結果が×であり、かつ低品質ＵＥと隣接ＨｅＮＢの少なくともいずれかの検出結果が×であるレコードには、送信パターンＰ１を含む送信パターンＰ１，Ｐ２，Ｐ３が対応付けられている。この場合は、基地局２００は、送信パターンＰ１，Ｐ２，Ｐ３のうちのスループットが最も高くなる送信パターンを選択する。
【００６９】
また、隣接セルにおいて送信パターンＰ２，Ｐ３が選択されている場合は、全帯域の半分が隣接セルにおいて使用されない。このため、候補の送信パターンＰ１，Ｐ２，Ｐ３のうちの送信パターンＰ２，Ｐ３のいずれかのスループットの推定値が最大となる可能性が高い。結果として、互いに隣接する基地局２００の間で自動的に異なる帯域を選択し、スループットを向上させることができる。
【００７０】
図６−１〜図６−４は、通信システムの動作の一例を示す図である。図６に示す通信システム６００は、ＨｅＮＢ６１１，６１２と、ＭｅＮＢ６１３と、ＨＵＥ６２１，６２２と、ＭＵＥ６３１，６３２と、を含む。ＨｅＮＢ６１１は、たとえば図１に示した第１基地局１１０に対応する。ＨｅＮＢ６１２は、たとえば図１に示した第２基地局１２０に対応する。ＨＵＥ６２１は、たとえば図１に示した無線端末１０２に対応する。ＭＵＥ６３１は、たとえば図１に示した無線端末１０４に対応する。
【００７１】
ＨｅＮＢ６１１のセル６１１ａと、ＨｅＮＢ６１２のセル６１２ａと、は互いに隣接している。このため、ＨｅＮＢ６１１は、ＨｅＮＢ６１２を隣接ＨｅＮＢとして検出する。また、ＨｅＮＢ６１２は、ＨｅＮＢ６１１を隣接ＨｅＮＢとして検出する。
【００７２】
ＨＵＥ６２１（Ｈｏｍｅ  ＵＥ）は、ＨｅＮＢ６１１に接続しているが、ＨｅＮＢ６１１から離れているのに加えてＨｅＮＢ６１２から近く干渉を受けるためＨｅＮＢ６１１との間の通信品質が低い低品質ＵＥとなっている。このため、ＨｅＮＢ６１１は、低品質ＵＥとしてＨＵＥ６２１を検出する。
【００７３】
ＨＵＥ６２２は、ＨｅＮＢ６１２に接続している。
【００７４】
ＭＵＥ６３１，６３２（Ｍａｃｒｏ  ＵＥ）は、ＭｅＮＢ６１３（Ｍａｃｒｏ  ｅＮＢ）のセル６１３ａに在圏し、ＭｅＮＢ６１３に接続している。また、ＭＵＥ６３１は、ＨｅＮＢ６１１に接続していないが、ＨｅＮＢ６１１に近いため、ＨｅＮＢ６１１からの干渉を受けるビクティムＵＥとなっている。このため、ＨｅＮＢ６１１は、ビクティムＵＥとしてＭＵＥ６３１を検出する。
【００７５】
送信パターン６２１ａは、ＨｅＮＢ６１１がＨＵＥ６２１へ送信する下り信号の帯域を示している。図６−１に示す状態では、ＨｅＮＢ６１１は送信パターン６２１ａとして送信パターンＰ１を選択している。送信パターン６２２ａは、ＨｅＮＢ６１２がＨＵＥ６２２へ送信する下り信号の帯域を示している。図６−１に示す状態では、ＨｅＮＢ６１２は送信パターン６２２ａとして送信パターンＰ１を選択している。
【００７６】
送信パターン６３１ａは、ＭｅＮＢ６１３がＭＵＥ６３１へ送信する下り信号の帯域を示している。図６−１に示す状態では、ＭｅＮＢ６１３は送信パターン６３１ａとして低周波側の帯域を選択している。送信パターン６３２ａは、ＭｅＮＢ６１３がＭＵＥ６３２へ送信する下り信号の帯域を示している。図６−１に示す状態では、ＭｅＮＢ６１３は送信パターン６３２ａとして高周波側の帯域を選択している。
【００７７】
ＨｅＮＢ６１１は、隣接ＨｅＮＢ（ＨｅＮＢ６１２）、ビクティムＵＥ（ＭＵＥ６３１）および低品質ＵＥ（ＨＵＥ６２１）を検出したため、帯域を半分にするパターンＰ２，Ｐ３のうちのスループットが高くなるパターンを選択する。ここでは、ＨｅＮＢ６１１は、図６−２に示すように、低周波側の帯域を使用するパターンＰ２を選択したとする。
【００７８】
これにより、ＭＵＥ６３１に対するＨｅＮＢ６１１からの干渉が高周波側で低下するため、ＭｅＮＢ６１３は、図６−３に示すように、スケジューリングの結果、高周波側の帯域をＭＵＥ６３１に割り当てる。一方、ＭＵＥ６３２についてはＨｅＮＢ６１１からの干渉が小さいため、ＭｅＮＢ６１３は、スケジューリングの結果、ＨｅＮＢ６１１と同じ低周波側の帯域をＭＵＥ６３２に割り当てる。
【００７９】
また、ＨｅＮＢ６１２は、隣接ＨｅＮＢ（ＨｅＮＢ６１１）のみを検出しているため、パターンＰ１，Ｐ２，Ｐ３のいずれかを抽出する。そして、ここでは高周波側においてＨｅＮＢ６１１からの干渉が低下しているため、高周波側の帯域のみを使用するパターンＰ３においてスループットが最大となる。このため、ＨｅＮＢ６１２は、図６−４に示すように、高周波側の帯域を使用するパターンＰ３を選択する。
【００８０】
このように、マクロ基地局（ＭｅＮＢ６１３）とフェムト基地局（ＨｅＮＢ６１１，６１２）が混在する通信システム６００において、ＨｅＮＢ６１１，６１２が自律的に干渉制御を行うことができる。これにより、ビクティムＵＥ（ＭＵＥ６３１）の救済とフェムトユーザ（ＨＵＥ６２１，６２２）のスループットの向上を図り、通信システム６００の全体のスループットの向上を図ることができる。
【００８１】
このように、実施の形態１によれば、隣接する各フェムト基地局が、自セルによるビクティムＵＥ、自セルの低品質ＵＥ、隣接フェムト基地局の各検出結果の組み合わせに応じて送信帯域を自律制御することができる。これにより、ビクティムＵＥと低品質ＵＥの両方のスループットを向上させ、全体のスループットを向上させることができる。
【００８２】
（実施の形態２）
実施の形態２にかかる基地局２００について、実施の形態１にかかる基地局２００と異なる部分について説明する。たとえばＬＴＥにおいては、共通周波数帯域４１０の中心の６リソースブロック（ＲＢ：Ｒｅｓｏｕｒｃｅ  Ｂｌｏｃｋ）の帯域で１０［ｍｓ］に２回の所定タイミングでＳＣＨ（Ｓｙｎｃｈｒｏｎｉｚａｔｉｏｎ  Ｃｈａｎｎｅｌ）が送信される。ＳＣＨにはたとえば同期情報が含まれている。
【００８３】
また、たとえばＬＴＥにおいては、共通周波数帯域４１０の中心の６リソースブロックの帯域で１０［ｍｓ］に１回の所定タイミングでＰＢＣＨ（Ｐｈｙｓｉｃａｌ  Ｂｒｏａｄｃａｓｔ  Ｃｈａｎｎｅｌ）が送信される。ＰＢＣＨにはシステム情報が含まれている。ＳＣＨやＰＢＣＨは、ＵＥが通信開始時に受信するチャネルである。
【００８４】
図７−１〜図７−６は、送信パターンの一例を示す図である。図７−１〜図７−６に示すように、実施の形態２にかかる基地局２００においては、送信パターンＰ１〜Ｐ６が規定されている。図７−１〜図７−６に示す送信パターンＰ１〜Ｐ６において、横軸は下り信号の周波数を示し、縦軸は下り信号の電力を示している。
【００８５】
中心帯域７１０は、共通周波数帯域４１０のうちの、ＳＣＨやＰＢＣＨなどの制御信号が送信される帯域を含む帯域を示している。たとえば、中心帯域７１０は、共通周波数帯域４１０における中心の１／８を占める帯域である。図７−１〜図７−３に示す送信パターンＰ１，Ｐ２，Ｐ３は、たとえば図４−１〜図４−３に示した送信パターンＰ１，Ｐ２，Ｐ３と同様である。
【００８６】
図７−４に示す送信パターンＰ４は、共通周波数帯域４１０のうちの中心帯域７１０を除いた帯域を使用し、かつ送信パターンＰ１に対して８／７倍の電力密度（電力Ｖ８／７）を使用して信号を送信することを示す送信パターンである。したがって、送信パターンＰ４においては、送信パターンＰ１に比べて帯域幅が７／８となり電力密度が８／７倍となるため、電力密度×帯域幅は送信パターンＰ１と同一になる。
【００８７】
図７−５に示す送信パターンＰ５は、共通周波数帯域４１０の低周波側の半分の帯域のうちの中心帯域７１０を除いた帯域を使用し、かつ送信パターンＰ１に対して１６／７倍の電力密度（電力Ｖ１６／７）を使用して信号を送信することを示す送信パターンである。したがって、送信パターンＰ５においては、送信パターンＰ１に比べて帯域幅が７／１６となり電力密度が１６／７倍となるため、電力密度×帯域幅は送信パターンＰ１と同一になる。
【００８８】
図７−６に示す送信パターンＰ６は、共通周波数帯域４１０の高周波側の半分の帯域のうちの中心帯域７１０を除いた帯域を使用し、かつ送信パターンＰ１に対して１６／７倍の電力密度（電力Ｖ１６／７）を使用して信号を送信することを示す送信パターンである。したがって、送信パターンＰ６においては、送信パターンＰ１に比べて帯域幅が７／１６となり電力密度が１６／７倍となるため、電力密度×帯域幅は送信パターンＰ１と同一になる。
【００８９】
このように、図７−４〜図７−６に示す送信パターンＰ４，Ｐ５，Ｐ６においては、ＳＣＨやＰＢＣＨなどの制御信号が送信される中心帯域７１０によるＵＥへの下り信号の送信が停止される。これにより、ＳＣＨやＰＢＣＨなどの制御信号への干渉を低減することができる。
【００９０】
また、共通周波数帯域４１０の一部の帯域を用いる送信パターンＰ４，Ｐ５，Ｐ６においては、共通周波数帯域４１０の全帯域を用いる送信パターンＰ１よりも大きな電力密度となっている。これにより、共通周波数帯域４１０の一部の帯域を使用する場合に、共通周波数帯域４１０の全部の帯域を使用する場合よりも大きな電力密度によって信号を無線送信することができる。これにより、共通周波数帯域４１０の一部の帯域のみを用いる場合のスループットの低下を抑えることができる。
【００９１】
図８は、送信パターンテーブルの一例を示す図である。図８に示す送信パターンテーブル５００は、実施の形態２にかかる送信パターンテーブル記憶部２０８に記憶される送信パターンテーブルの一例である。
【００９２】
たとえば、ビクティムＵＥが検出された場合は、ビクティムＵＥの救済のために、ＳＣＨやＰＢＣＨなどの制御信号が送信される帯域を確保することが望ましい。このため、図８に示す送信パターンテーブル５００において、ビクティムＵＥの検出結果が○であるレコードには、共通周波数帯域４１０のうちの中心帯域７１０を除いた送信パターンＰ４，Ｐ５，Ｐ６に含まれる送信パターンが対応付けられている。
【００９３】
このように、実施の形態２によれば、被干渉端末が検出された場合の組み合わせに対応付けられた複数の候補帯域が、他の通信装置によって所定の制御信号が送信される所定の帯域を除く帯域となっている。これにより、制御信号への干渉を低減することができる。
【００９４】
さらに、ＭｅＮＢ６１３とＨｅＮＢ６１１，６１２との間で信号の送信タイミングを同期させ、時間ごとに送信パターンを送信させるようにしてもよい。これにより、ＳＣＨやＰＢＣＨなどの制御信号に対する干渉が生じる送信パターンが継続することを回避し、ＳＣＨやＰＢＣＨなどの制御信号に対する干渉を効率的に回避することができる。
【００９５】
（実施の形態３）
実施の形態３にかかる基地局２００について、実施の形態１にかかる基地局２００と異なる部分について説明する。
【００９６】
図９は、実施の形態３にかかる通信システムの一例を示す図である。図９において、図１に示した部分と同様の部分については同一の符号を付して説明を省略する。図９に示すように、実施の形態３にかかる通信システム１００においては、図１に示した第１基地局１１０の第３検出部１１３および第２基地局１２０の第３検出部１２３を省いた構成としてもよい。
【００９７】
第１基地局１１０の選択部１１４は、第１検出部１１１および第２検出部１１２から出力される検出結果の組み合わせに基づいて、共通周波数帯域の中から、第１基地局１１０による下り信号の送信に用いるための帯域を選択する。
【００９８】
第２基地局１２０の選択部１２４は、第１検出部１２１および第２検出部１２２から出力される検出結果の組み合わせに基づいて、共通周波数帯域の中から、第２基地局１２０による下り信号の送信に用いるための帯域を選択する。
【００９９】
図１０−１は、基地局の一例を示す図である。図１０−２は、図１０−１に示した基地局における信号の流れの一例を示す図である。図１０−１，図１０−２において、図２−１，図２−２に示した構成と同様の構成については同一の符号を付して説明を省略する。図１０−１，図１０−２に示すように、実施の形態３にかかる基地局２００は、図２−１，図２−２に示した基地局２００においてビクティムＵＥ検出部２０４を省いた構成としてもよい。
【０１００】
送信パターンテーブル記憶部２０８には、隣接ＨｅＮＢ検出部２０５および低品質ＵＥ検出部２０６による各検出結果の組み合わせと、送信パターンの候補と、を対応付ける送信パターンテーブルが記憶されている。送信パターン候補抽出部２０９は、隣接ＨｅＮＢ検出部２０５および低品質ＵＥ検出部２０６による各検出結果の組み合わせに対応する１つまたは複数の送信パターンを送信パターンテーブル記憶部２０８から取得する。
【０１０１】
図１１は、送信パターン候補抽出部および送信パターン決定部の動作の一例を示すフローチャートである。実施の形態３にかかる基地局２００の送信パターン候補抽出部２０９および送信パターン決定部２１１は、たとえば以下の各ステップを繰り返し行う。
【０１０２】
まず、送信パターン候補抽出部２０９が、隣接ＨｅＮＢ検出部２０５から隣接ＨｅＮＢの検出結果を取得する（ステップＳ１１０１）。また、送信パターン候補抽出部２０９が、低品質ＵＥ検出部２０６から低品質ＵＥの検出結果を取得する（ステップＳ１１０２）。ステップＳ１１０１，Ｓ１１０２の順序は入れ替え可能である。
【０１０３】
つぎに、送信パターン候補抽出部２０９が、ステップＳ１１０１，Ｓ１１０２によって取得した各検出結果の組み合わせに基づいて、送信パターンの候補を抽出する（ステップＳ１１０３）。つぎに、送信パターン決定部２１１が、ステップＳ１１０３によって抽出された送信パターンの候補のそれぞれについて、スループット推定部２１０からスループットの推定値を取得する（ステップＳ１１０４）。
【０１０４】
つぎに、送信パターン決定部２１１が、ステップＳ１１０４によって取得したスループットの推定値に基づいて、ステップＳ１１０３によって抽出された候補の中から送信パターンを決定し（ステップＳ１１０５）、一連の動作を終了する。
【０１０５】
以上の各ステップにより、隣接ＨｅＮＢおよび低品質ＵＥの各検出結果の組み合わせに基づく送信パターンの候補を抽出し、抽出した候補の中からスループットの高い送信パターンを選択することができる。
【０１０６】
図１２は、送信パターンテーブルの一例を示す図である。図１２に示す送信パターンテーブル５００は、実施の形態３にかかる送信パターンテーブル記憶部２０８に記憶される送信パターンテーブルの一例である。
【０１０７】
図１２に示すように、実施の形態３にかかる送信パターンテーブル記憶部２０８に記憶された送信パターンテーブル５００においては、隣接ＨｅＮＢの検出結果および低品質ＵＥの検出結果の組み合わせと、送信パターンの候補と、が対応付けられている。
【０１０８】
図１３は、通信システムの動作の一例を示す図である。図１３において、図６−４に示した部分と同様の部分については同一の符号を付して説明を省略する。図６−１に示した状況と同様の状況における、ビクティムＵＥ（ＭＵＥ６３１）の検出を省いた実施の形態３にかかるＨｅＮＢ６１１，６１２の動作について説明する。
【０１０９】
ＨｅＮＢ６１１は、隣接ＨｅＮＢ（ＨｅＮＢ６１２）および低品質ＵＥ（ＨＵＥ６２１）を検出したため、帯域を半分にするパターンＰ１，Ｐ２のうちのスループットが高くなるパターンを選択する。ここでは、ＨｅＮＢ６１１は、図１３に示すように、低周波側の帯域を使用するパターンＰ２を選択したとする。
【０１１０】
これに対して、ＨｅＮＢ６１２は、隣接ＨｅＮＢ（ＨｅＮＢ６１１）のみを検出しているため、パターンＰ１，Ｐ２，Ｐ３のいずれかを抽出する。そして、ここでは高周波側においてＨｅＮＢ６１１からの干渉が低下しているため、高周波側の帯域のみを使用するパターンＰ３においてスループットが最大となる。このため、ＨｅＮＢ６１２は、図１３に示すように、高周波側の帯域を使用するパターンＰ３を選択する。
【０１１１】
このように、ビクティムＵＥの検出を省いた実施の形態３においても、マクロ基地局（ＭｅＮＢ６１３）とフェムト基地局（ＨｅＮＢ６１１，６１２）が混在する通信システム６００において、ＨｅＮＢ６１１，６１２が自律的に干渉制御を行うことができる。これにより、フェムトユーザ（ＨＵＥ６２１，６２２）のスループットの向上を図り、通信システム６００の全体のスループットの向上を図ることができる。
【０１１２】
（送信パターンの変形例）
図１４−１〜図１４−３は、送信パターンの候補の変形例を示す図である。図１４−１〜図１４−３において、図４−１〜図４−３に示した部分と同様の部分については同一の符号を付して説明を省略する。図１４−１〜図１４−３に示すように、送信パターンＰ２，Ｐ３（帯域の候補）のそれぞれは、周波数が互いに隣接しない複数の帯域であってもよい。また、送信パターンＰ２の各帯域と、送信パターンＰ３の各帯域と、は互いに重複しないようになっている。
【０１１３】
これにより、たとえば第１基地局１１０および第２基地局１２０がそれぞれ送信パターンＰ２，Ｐ３を選択することにより、互いの干渉を抑えることができる。また、第１基地局１１０および第２基地局１２０のそれぞれにおいて、周波数が互いに隣接しない複数の帯域が使用されるため、周波数ダイバーシチ効果によりスループットをより向上させることができる。
【０１１４】
このように、送信パターンＰ１，Ｐ２，Ｐ３のうちの共通周波数帯域４１０の一部の帯域を用いる送信パターンＰ２，Ｐ３のそれぞれを、周波数が互いに隣接しない複数の帯域とすることによって、スループットをより向上させることができる。
【０１１５】
以上説明したように、基地局、通信システムおよび通信方法によれば、スループットの向上を図ることができる。
【０１１６】
上述した各実施の形態に関し、さらに以下の付記を開示する。
【０１１７】
（付記１）自セルと共通の周波数帯域を使用可能であり自セルとの間で干渉が生じ得るセルを形成する他の基地局を検出する第１検出部と、
自セルに接続中であり通信品質が所定値以下の低品質端末を検出する第２検出部と、
自セルに接続しておらず、かつ自セルから送信される信号による干渉を受ける被干渉端末を検出する第３検出部と、
前記第１検出部、前記第２検出部および前記第３検出部による検出結果の組み合わせに基づいて前記共通の周波数帯域の中から帯域を選択する選択部と、
前記選択部によって選択された帯域を用いて、自セルに接続中の無線端末への信号を無線送信する送信部と、
を備えることを特徴とする基地局。
【０１１８】
（付記２）前記選択部は、
前記検出結果の組み合わせと、前記共通の周波数帯域に含まれる複数の候補帯域と、の対応情報に基づいて、前記検出結果の組み合わせに対応する複数の候補帯域を抽出し、
抽出した前記複数の候補帯域のそれぞれについて、自セルに接続中の無線端末との間の予測スループットを算出し、
算出した前記予測スループットに基づいて、抽出した前記複数の候補帯域の中から帯域を選択することを特徴とする付記１に記載の基地局。
【０１１９】
（付記３）前記対応情報において、前記第１検出部によって前記他の基地局が検出され、かつ前記第２検出部によって前記低品質端末が検出された場合の組み合わせに対応付けられた前記複数の候補帯域は、それぞれ前記共通の周波数帯域の一部の帯域であることを特徴とする付記２に記載の基地局。
【０１２０】
（付記４）前記対応情報において、前記第３検出部によって前記被干渉端末が検出された場合の組み合わせに対応付けられた前記複数の候補帯域は、それぞれ前記共通の周波数帯域の一部の帯域であることを特徴とする付記２または３に記載の基地局。
【０１２１】
（付記５）前記送信部は、前記選択部によって前記一部の帯域が選択された場合に、前記選択部によって前記共通の周波数帯域の全部の帯域が選択された場合よりも大きな電力密度によって信号を無線送信することを特徴とする付記３または４に記載の基地局。
【０１２２】
（付記６）前記一部の帯域は、周波数が互いに隣接しない複数の帯域であることを特徴とする付記３〜５のいずれか一つに記載の基地局。
【０１２３】
（付記７）前記対応情報において、前記第３検出部によって前記被干渉端末が検出された場合の組み合わせに対応付けられた前記複数の候補帯域は、他の通信装置によって所定の制御信号が送信される所定の帯域を除く帯域であることを特徴とする付記２〜６のいずれか一つに記載の基地局。
【０１２４】
（付記８）前記所定の帯域は、前記共通の周波数帯域の中心の帯域であることを特徴とする付記７に記載の基地局。
【０１２５】
（付記９）前記送信部は、自セルから送信される信号による干渉を受ける他の通信装置間の通信における信号の送信タイミングと同期して前記自セルに接続中の無線端末への信号を無線送信し、
前記選択部は、選択する帯域を時間ごとに変化させることを特徴とする付記１〜８のいずれか一つに記載の基地局。
【０１２６】
（付記１０）前記第１検出部は、前記他の基地局から送信される信号に基づいて前記他の基地局を検出することを特徴とする付記１〜９のいずれか一つに記載の基地局。
【０１２７】
（付記１１）前記第２検出部は、前記自セルに接続中の無線端末から通知される、前記自セルに接続中の無線端末と自セルとの間の通信品質に基づいて前記低品質端末を検出することを特徴とする付記１〜１０のいずれか一つに記載の基地局。
【０１２８】
（付記１２）前記第３検出部は、他のセルに接続中の無線端末によって送信される上り信号の電力を測定し、測定した前記電力に基づいて前記被干渉端末を検出することを特徴とする付記１〜１１のいずれか一つに記載の基地局。
【０１２９】
（付記１３）自セルと共通の周波数帯域を使用可能であり自セルとの間で干渉が生じ得るセルを形成する他の基地局を検出する第１検出部と、
自セルに接続中であり通信品質が所定値以下の低品質端末を検出する第２検出部と、
前記第１検出部および前記第２検出部による検出結果の組み合わせに基づいて前記共通の周波数帯域の中から帯域を選択する選択部と、
前記選択部によって選択された帯域を用いて、自セルに接続中の無線端末への信号を無線送信する送信部と、
を備えることを特徴とする基地局。
【０１３０】
（付記１４）共通の周波数帯域を使用可能であり互いに干渉が生じ得るセルを形成する各基地局を含む通信システムにおいて、
前記各基地局は、
前記各基地局のうちの自局と異なる他の基地局を検出する第１検出部と、
自セルに接続中であり通信品質が所定値以下の低品質端末を検出する第２検出部と、
自セルに接続しておらず、かつ自セルから送信される信号による干渉を受ける被干渉端末を検出する第３検出部と、
前記第１検出部、前記第２検出部および前記第３検出部による検出結果の組み合わせに基づいて前記共通の周波数帯域の中から帯域を選択する選択部と、
前記選択部によって選択された帯域を用いて、自セルに接続中の無線端末への信号を無線送信する送信部と、
を備えることを特徴とする通信システム。
【０１３１】
（付記１５）共通の周波数帯域を使用可能であり互いに干渉が生じ得るセルを形成する各基地局による通信方法において、
前記各基地局のうちの自局と異なる他の基地局を検出し、
自セルに接続中であり通信品質が所定値以下の低品質端末を検出し、
自セルに接続しておらず、かつ自セルから送信される信号による干渉を受ける被干渉端末を検出し、
前記他の基地局、前記低品質端末および前記被干渉端末の検出結果の組み合わせに基づいて前記共通の周波数帯域の中から帯域を選択し、
選択した前記帯域を用いて、自セルに接続中の無線端末への信号を無線送信する、
ことを特徴とする通信方法。
【符号の説明】
【０１３２】
１００，６００  通信システム
１０１〜１０４  無線端末
１１０  第１基地局
１１１，１２１  第１検出部
１１２，１２２  第２検出部
１１３，１２３  第３検出部
１１４，１２４  選択部
１１５，１２５  送信部
１２０  第２基地局
２００  基地局
２０１  受信アンテナ
２０２  受信機
２０３  受信信号処理部
２０４  ビクティムＵＥ検出部
２０５  隣接ＨｅＮＢ検出部
２０６  低品質ＵＥ検出部
２０７  ＵＥ品質情報取得部
２０８  送信パターンテーブル記憶部
２０９  送信パターン候補抽出部
２１０  スループット推定部
２１１  送信パターン決定部
２１２  ＵＥスケジューラ
２１３  送信信号作成部
２１４  送信機
２１５  送信アンテナ
２３１  デジタル回路
２３２  メモリ
４１０  共通周波数帯域
５００  送信パターンテーブル
６１１，６１２  ＨｅＮＢ
６１１ａ，６１２ａ，６１３ａ  セル
６１３  ＭｅＮＢ
６２１，６２２  ＨＵＥ
６２１ａ，６２２ａ，６３１ａ  送信パターン
６３１，６３２  ＭＵＥ
７１０  中心帯域
【図１】
2014086943.tif 000003
【図２−１】
2014086943.tif 000004
【図２−２】
2014086943.tif 000005
【図２−３】
2014086943.tif 000006
【図３】
2014086943.tif 000007
【図４−１】
2014086943.tif 000008
【図４−２】
2014086943.tif 000009
【図４−３】
2014086943.tif 000010
【図５】
2014086943.tif 000011
【図６−１】
2014086943.tif 000012
【図６−２】
2014086943.tif 000013
【図６−３】
2014086943.tif 000014
【図６−４】
2014086943.tif 000015
【図７−１】
2014086943.tif 000016
【図７−２】
2014086943.tif 000017
【図７−３】
2014086943.tif 000018
【図７−４】
2014086943.tif 000019
【図７−５】
2014086943.tif 000020
【図７−６】
2014086943.tif 000021
【図８】
2014086943.tif 000022
【図９】
2014086943.tif 000023
【図１０−１】
2014086943.tif 000024
【図１０−２】
2014086943.tif 000025
【図１１】
2014086943.tif 000026
【図１２】
2014086943.tif 000027
【図１３】
2014086943.tif 000028
【図１４−１】
2014086943.tif 000029
【図１４−２】
2014086943.tif 000030
【図１４−３】
2014086943.tif 000031